(57)【要約】      （修正有）【課題】非粘着部を容易に作ることができ、利便性を向上させることができるテープカッターを提供する。【解決手段】粘着テープＭ１のロールＭ２を回転可能に保持する保持部１０と、ロールＭ２から引き出された粘着テープＭ１の端部を切断する切断部２０と、切断部２０と保持部１０との間において粘着テープＭ１を粘着させる粘着部４０とを備える。切断部２０は、一端に刃２１を有し、刃２１が円弧運動をすることにより、粘着部４０から離間した定位置から粘着部４０の近傍位置まで移動できるようになっている。【選択図】図１
0003152724.tif 000002
【実用新案登録請求の範囲】
【請求項１】
粘着テープのロールを回転可能に保持する保持部と、この保持部に保持されたロールから引き出された粘着テープの端部を切断する切断部と、この切断部と前記保持部との間において粘着テープを粘着させる接着部とを備えたテープカッターであって、前記切断部は、一端に刃を有し、この刃が円弧運動をすることにより、前記粘着部と離間した定位置から前記粘着部の近傍位置まで移動することができるように配設されていることを特徴とするテープカッター。
【請求項２】
粘着部４０の刃２１に対向する面に、刃２１の固定部が粘着部４０の下方部へ入りこむように段差を設けたことを特徴とする請求項１記載のテープカッター。
【考案の詳細な説明】
【技術分野】
【０００１】
本考案は、粘着テープのロールを保持すると共に、ロールから引き出された粘着テープの端部を切断するテープカッターに関する。
【背景技術】
【０００２】
従来より、テープカッターとしては、例えば、粘着テープのロールを回転可能に保持すると共に、ロールから少し離れた位置に粘着テープを切断する切断部が設けられたものが知られている。このテープカッターでは、切断部に引き出された粘着テープをロールと切断部との間において摘み、必要な長さだけ引き出した後、切断部において切断して用いられる。
【０００３】
しかし、このテープカッターでは、切り出した粘着テープの全面が貼り付けられるので粘着テープを貼り付けた後に粘着テープを剥がしたい場合、剥がし難いことがあった。また、このテープカッターでは、粘着テープを引き出す際に、粘着テープの粘着面を指で摘むので、見た目が汚くなってしまい、しかも粘着面が汚れて粘着力が低下してしまう場合もあった。
【０００４】
そこで、これらの問題を解決するために、例えば、粘着テープの先端において粘着面を内側にして折り返すことにより、非粘着部を形成することができるテープカッターが提案されている（例えば、特許文献１参照）。
【先行技術文献】
【特許文献】
【０００５】
【特許文献１】特開２００６−２４８７７６号公報
【考案の概要】
【考案が解決しようとする課題】
【０００６】
しかしながら、特許文献１に記載のテープカッターでは、切断部の刃を円弧運動させる事により、粘着テープの先端を粘着面が内側になるように撓ませて非粘着部を作っているが、粘着テープの粘着面が内側になるように撓む確率は低く、指で折り返すという作業をしいられ、使用し難いという問題があった。
【０００７】
本考案は、このような問題に基づきなされたものであり、非粘着部を容易に作ることができ、利便性を向上させる事ができるテープカッターを提供する事を目的とする。
【課題を解決するための手段】
【０００８】
本考案のテープカッターは粘着テープのロールを回転可能に保持する保持部と、この保持部に保持されたロールから引き出された粘着テープの端部を切断する切断部と、この切断部と前記保持部との間において粘着テープを粘着させる粘着部とを備えたものであって、切断部は、一端に刃を有し、この刃が円弧運動をすることにより、粘着部と離間した定位置から粘着部の近傍位置まで移動することができるように配設されているものである。
【考案の効果】
【０００９】
本考案のテープカッターによれば、刃が円弧運動をすることにより、粘着部と離間した定位置から粘着部の近傍位置まで移動することができるようにしたので、粘着テープを粘着部と反対側に容易に湾曲させることができる。よって、容易に粘着テープを折り曲げて非粘着部をつくることができ、利便性を高めることができる。
【図面の簡単な説明】
【００１０】
【図１】本考案の一例のテープカッターの構成を表す左側面図と正面図である。
【図２】本考案の一例のテープカッターの構成を表す断面図である。
【図３】図１に示したテープカッターの動作を表す図である。
【図４】図４に続く動作を表す図である。
【考案を実施するための形態】
【００１１】
以下、本考案の実施の形態について、図面を参照して詳細に説明する。
【００１２】
図１は、本考案の一実施の形態に係るテープカッター１の構成を表す左側面図と正面図であり、図２は、テープカッター１の断面構造を表すものである。このテープカッターは、粘着テープＭ１が巻回されたロールＭ２を回転可能に保持する保持部１０と、保持部１０に保持されたロールＭ２から引き出された粘着テープＭ１の端部を切断する切断部２０とを備えている。保持部１０及び切断部２０は、例えば、互いに間隔を開けて基体３０に配設されており、保持部１０と切断部２０との間には、粘着テープＭ１を粘着させる粘着部４０が基体３０に形成されている。
【００１３】
保持部１０は、ロールＭ２を回転させるための回転軸１２が突出して形成されている。回転軸１２は、基体３０に形成され回転可能に配設されている。
【００１４】
切断部２０は端部に刃２１を有しており、また、円弧部２３を設けることによって、弾性が発生し円弧運動をすることができるようになっている。
【００１５】
これにより、刃２１は、定位置から粘着部４０の近傍位置まで移動することができるようになっている。刃２１は、粘着部４０の近傍位置において粘着部４０の端部に当接することが好ましい。粘着部４０の刃２１に対向する面には、刃２１を押し込んだときに、粘着テープＭ１を保持するわずかな面と、その面の下方部に刃２１の固定部が粘着部４０の下方部へ入りこむように段差を設けるとよい。刃２１の先端と粘着部４０の表面との間の角度は９度から１３度の範囲内とされることが好ましい。
【００１６】
図２から図４は、テープカッター１の動作を表すものである。まず、図２に示したようにテープカッター１は、通常、切断部２０が基体３１の円弧部で押えられており、刃２１は粘着部４０から離間した位置にある。この状態において、例えば、ロールＭ２から粘着テープＭ１を引き出し、粘着部４０に貼り付けて、その先端側を切断部２０の刃２１に押し当てることにより切断する。
【００１７】
次いで、例えば図３に示したように、指で切断部２０の刃２１の側を粘着部４０の側に押し、粘着部４０の側に向かって、略円弧運動により、粘着テープＭ１は、粘着部４０の上方部に僅かに湾曲する。この略円弧運動は、単にひとつの支点から放物線を描くのではなく、支点と刃２１が構成されている基体３０が撓むことにより、水平に近い移動を行うことが特徴であり、これにより粘着テープＭ１が、粘着部４０の上方部に僅かに湾曲することで、非粘着部Ｍ３を形成するための重要な予備動作となる。
【００１８】
次いで、例えば図４に示したように、指で切断部２０の刃２１の側を粘着部４０の側に更に押すと、粘着テープＭ１は、粘着部４０の反対側に更に湾曲し、刃２１が粘着部４０の近傍位置までくると、粘着面同士が接着して、非粘着部Ｍ３が形成される。
【００１９】
そののち、切断部２０から指をはずすと、例えば、図１に示したように、切断部２０は弾性により定位置に戻され、粘着部４０には、非粘着部Ｍ３が形成された粘着テープＭ１が残る。これにより、粘着部４０に形成された非粘着部Ｍ３を指で挟み、粘着テープＭ１を引き出して、用いることができる。
【００２０】
特に、テープＭ１を切断する際、テープＭ１を斜め下にシャー角度をつけて引けば、切断が始まる刃２１部が弾性のために粘着部４０側に僅かに動く。切断後は定位置に戻り、テープを張り戻す。この時、粘着部４０と刃２１との間のテープに微妙な歪が生じ、この現象が効果的に湾曲を形成する。
【００２１】
以上、実施の形態を挙げて本考案を説明したが、本考案は上記実施の形態に限定されるものでなく、種々変形可能である。
【産業上の利用可能性】
【００２２】
本考案のテープカッターは工業生産が可能で、供給者による生産販売が可能である。
【符号の説明】
【００２３】
１  テープカッター、１０  保持部、１２  回転軸、２０  切断部、２１  刃、２３  円弧部、３０  基体（刃付）、３１  基体、４０  粘着部、Ｍ１  粘着テープ、Ｍ２  ロール、Ｍ３  非粘着部
【図１】
0003152724.tif 000003
【図２】
0003152724.tif 000004
【図３】
0003152724.tif 000005
【図４】
0003152724.tif 000006
【手続補正書】
【提出日】平成21年6月10日(2009.6.10)
【手続補正１】
【補正対象書類名】実用新案登録請求の範囲
【補正対象項目名】請求項１
【補正方法】変更
【補正の内容】
【請求項１】
粘着テープのロールを回転可能に保持する保持部と、この保持部に保持されたロールから引き出された粘着テープの端部を切断する切断部と、この切断部と前記保持部との間において粘着テープを粘着させる粘着部とを備えたテープカッターであって、前記切断部は、一端に刃を有し、この刃が円弧運動をすることにより、前記粘着部と離間した定位置から前記粘着部の近傍位置まで移動することができるように配設されていることを特徴とするテープカッター。